(57)【要約】【課題】本発明は蛇腹構造にして可撓性を付与した曲がり部配線ダクトを用いて曲がり配線を行う場合に、現場に応じ異なる曲がり配線長に適切に対応できる配線ダクト間接続構造を提供する。【解決手段】蛇腹構造にして可撓性を付与した曲がり部配線ダクト１と、該曲がり部配線ダクト１と壁面配線ダクト５間を接続する接続具６とから成り、該接続具６はその一端に上記曲がり部配線ダクト１の端部に外嵌めされる第一嵌め継部７を有すると共に、同他端に上記壁面配線ダクト５の端部に外嵌め又は内嵌めされる第二嵌め継部８を有する曲がり配線部における配線ダクト間接続構造。【選択図】        図１０  
2005039928.tif 000002
【特許請求の範囲】
【請求項１】
蛇腹構造にして可撓性を付与した曲がり部配線ダクトと、該曲がり部配線ダクトと壁面配線ダクト間を接続する接続具とから成り、該接続具はその一端に上記曲がり部配線ダクトの端部に外嵌めされる第一嵌め継部を有すると共に、同他端に上記壁面配線ダクトの端部に外嵌め又は内嵌めされる第二嵌め継部を有することを特徴とする曲がり配線部における配線ダクト間接続構造。
【請求項２】
蛇腹構造にして可撓性を付与した曲がり部配線ダクトと、該曲がり部配線ダクトと壁面配線ダクト間を接続する接続具とから成り、該接続具はその一端に上記曲がり部配線ダクトの端部に外嵌めされる第一嵌め継部を有すると共に、同他端に上記壁面配線ダクトの端部に外嵌め又は内嵌めされる第二嵌め継部を有し、上記第一嵌め継部を頂板の両側縁から左右側板を立ち下げ下向きに開放した断面視コ形にし、該第一嵌め継部を上記開放部を通じ上記曲がり部配線ダクトの端部に外嵌めして上記頂板と左右側板を上記曲がり部配線ダクトの頂板と左右側板に添接し、該第一嵌め継部の頂板内面と左右側板の内面に設けた係止リブを上記曲がり部配線ダクトの端部外周の蛇腹溝に係入する構成としたことを特徴とする請求項１記載の曲がり配線部における配線ダクト間接続構造。
【請求項３】
上記第一嵌め継部を蛇腹構造にして可撓性を付与し、該蛇腹を形成する内向き蛇腹リブにて上記係止リブを形成したことを特徴とする請求項２記載の曲がり配線部における配線ダクト間接続構造。
【請求項４】
蛇腹構造にして可撓性を付与した曲がり部配線ダクトと、該曲がり部配線ダクトと壁面配線ダクト間を接続する接続具とから成り、該接続具はその一端に上記曲がり部配線ダクトの端部に外嵌めされる第一嵌め継部を有すると共に、同他端に上記壁面配線ダクトの端部に外嵌めされる第二嵌め継部を有し、上記第二嵌め継部を頂板の両側縁から左右側板を立ち下げ下向きに開放された断面視コ形にし、該コ形の第二嵌め継部を該開放部を通じ上記壁面配線ダクトの端部に外嵌めして上記頂板と左右側板を上記壁面配線ダクトの頂板と左右側板に添接し、該第二嵌め継部の左右側板の下端に設けた係止爪を上記壁面配線ダクトの左右側板に係合する構成としたことを特徴とする請求項１記載の曲がり配線部における配線ダクト間接続構造。
【発明の詳細な説明】
【技術分野】
【０００１】
本発明は建物の入隅部や出隅部又は段差等の曲がり配線部における配線ダクト間接続構造に関する。
【背景技術】
【０００２】
特許文献１乃至７等は蛇腹構造にして可撓性を付与した曲がり部配線ダクトを示しており、これら曲がり部配線ダクトは何れも一端部と他端部に壁面配線ダクト用差し口を連設し、該各差し口を上記曲がり配線部両側に敷設された壁面配線ダクトの端部に内挿又は外挿し、曲がり部配線ダクトを曲がり部に順応させて変形し一連の配線を行うように構成されている。
【０００３】
【特許文献１】特公平３−３７３７５号公報
【特許文献２】特開昭６２−２０１００８号公報
【特許文献３】実用新案登録第２５７０３２１号公報
【特許文献４】実公平６−６６６２号公報
【特許文献５】実公平１−２２３５１号公報
【特許文献６】実開平１−１０１１０８号公報
【特許文献７】実開昭６２−１２９２２８号公報
【発明の開示】
【発明が解決しようとする課題】
【０００４】
然るに上記各曲がり部配線ダクトは長さや高さが一定である曲がり配線部の配線には有効であるが、上記曲がり配線部の長さや高さ、例えば障害物の高さや幅は現場によって異なり、曲がり配線部の態様に応じた複数種類の曲がり部配線ダクトを準備せねばならない。
【課題を解決するための手段】
【０００５】
本発明は上記問題を解決する曲がり配線部における配線ダクト間接続構造を提供するものである。
【０００６】
この配線ダクト間接続構造においては蛇腹構造にして可撓性を付与した曲がり部配線ダクトを用いて曲がり配線を行う場合に、該曲がり部配線ダクトと壁面配線ダクト間を接続する接続具を用意し、該接続具一端の第一嵌め継部を以って上記曲がり部配線ダクトの端部に外嵌めすると共に、同他端の第二嵌め継部を以って上記壁面配線ダクトの端部に外嵌め又は内嵌めする構成としたものである。
【０００７】
上記の通り、従来の蛇腹構造の曲がり部配線ダクトに設けた差し口を壁面配線ダクトの端部に内挿又は外挿する構造では、必要とする曲がり配線長が曲がり部配線ダクトの長さより短い場合には対応困難である。
【０００８】
本発明によれば上記接続具を用意することによって、曲がり部配線ダクトを必要な長さに切断し、上記接続具で壁面配線ダクトと曲がり部配線ダクト間を接続することにより曲がり配線長の短縮に容易に対応できる。
【０００９】
従って曲がり部配線ダクトは想定できる最も長い曲がり配線長に応じた長さのものを一種類だけ準備しておけば、該ダクトの切断と上記接続具の使用によって現場の曲がり配線長の長短に適切に対応できる。
【００１０】
上記第一嵌め継部は頂板の両側縁から左右側板を立ち下げ下向きに開放した断面視コ形にし、該開放部を通じ上記曲がり部配線ダクトの端部に外嵌めして上記頂板と左右側板を上記曲がり部配線ダクトの頂板と左右側板に添接し、該第一嵌め継部の頂板内面と左右側板の内面に設けた係止リブを上記曲がり部配線ダクトの端部外周の蛇腹溝に係入して嵌合を適切に保持する。
【００１１】
好ましい例示として、上記第一嵌め継部は蛇腹構造にして接続部における可撓性を付与し接続に融通性を持たせ、更に該蛇腹を形成する内向き蛇腹リブにて上記係止リブを形成し、曲がり部配線ダクトの蛇腹と第一嵌め継部の蛇腹とが蛇腹係合できるようにする。
【００１２】
又上記第二嵌め継部は頂板の両側縁から左右側板を立ち下げ下向きに開放された断面視コ形にし、該コ形の第二嵌め継部を該開放部を通じ上記壁面配線ダクトの端部に外嵌めして上記頂板と左右側板を上記壁面配線ダクトの頂板と左右側板に添接し、該第二嵌め継部の左右側板の下端に設けた係止爪を上記壁面配線ダクトの左右側板に係合して嵌合を適切に保持する。
【発明の効果】
【００１３】
以上の通り、本発明に係る曲がり配線部における配線ダクト間接続構造によって、現場に応じ異なる曲がり配線長に適切に対応できる。
【発明を実施するための最良の形態】
【００１４】
以下本発明に係る曲がり配線部における配線ダクト間接続構造を実施するための最良の形態を図１乃至図１１に基づいて説明する。
【００１５】
図１乃至図５等に示すように、曲がり部配線ダクト１は軸線の周りに断面が逆Ｕ形に屈曲した外向き蛇腹リブ２と断面がＵ形に屈曲した内向き蛇腹リブ２とを軸線方向へ交互に形成し、外向き蛇腹リブ２の内側に断面が逆Ｕ形の蛇腹溝３を、内向き蛇腹リブ２の外側に断面がＵ形の蛇腹溝３を軸線方向へ交互に夫々形成した全方位に屈撓可能な蛇腹構造を有する。
【００１６】
上記曲がり部配線ダクト１は全体を合成樹脂にて一体成形し、全長において等口径にし、両端には蛇腹構造を有しない剛体の短小フランジ４を連設し、該短小フランジ４を曲がり部配線ダクト１の内径、即ち内向き蛇腹リブ２の内径と略同径にする。
【００１７】
上記蛇腹構造にして可撓性を付与した曲がり部配線ダクト１を用いて曲がり配線を行う場合に、該曲がり部配線ダクト１と壁面配線ダクト５間を接続する接続具６を用意する。
【００１８】
図６乃至図１０に示すように、上記接続具６の一端には第一嵌め継部７を連設し、該第一嵌め継部７を以って曲がり部２３上に配した上記曲がり部配線ダクト１の端部に外嵌めすると共に、同他端には第二嵌め継部８を連設し、該第二嵌め継部８を以って壁面２２に敷設した上記壁面配線ダクト５の端部に外嵌め又は内嵌めする構成とする。上記接続具６は合成樹脂にて一体成形する。壁面２２とは床面、側壁面、天井面等を含む。
【００１９】
前記の通り、従来の蛇腹構造の曲がり部配線ダクトに設けた差し口を壁面配線ダクト５の端部に内挿又は外挿する構造では、必要とする曲がり配線長が曲がり部配線ダクトの長さより短い場合には対応困難である。
【００２０】
これに対し上記接続具６を用意することによって、曲がり部配線ダクト１を必要な長さに切断し、上記接続具６で壁面配線ダクト５と曲がり部配線ダクト１間を接続することにより曲がり配線長の短縮に対応できる。
【００２１】
従って曲がり部配線ダクト１は想定できる最も長い曲がり配線長に応じた長さのものを一種類だけ準備しておけば、該ダクト１の切断と上記接続具６の使用によって現場の曲がり配線長の長短に適切に対応できる。
【００２２】
好ましい例示として図８乃至図１０，図１１Ａ等に示すように、上記第一嵌め継部７は頂板９の両側縁から左右側板１０を立ち下げ下向きに開放１３した断面視コ形にし、該開放部１３を通じ上記曲がり部配線ダクト１の端部、即ち蛇腹部端部に外嵌めして上記頂板９と左右側板１０を上記曲がり部配線ダクト１の蛇腹部頂板１４と蛇腹部左右側板１５に添接し、該第一嵌め継部７の頂板９内面と左右側板１０の内面に設けた係止リブ１６を上記曲がり部配線ダクト１の端部外周の蛇腹溝３に係入して接続具６の曲がり部配線ダクト１に対する嵌合を適切に保持する。
【００２３】
好ましい例示として、上記第一嵌め継部７は蛇腹構造にして接続部における可撓性を付与し接続に融通性を持たせ、更に該蛇腹を形成する内向き蛇腹リブ２０にて上記係止リブ１６を形成し、曲がり部配線ダクト１の蛇腹と第一嵌め継部７の蛇腹とが蛇腹係合できるようにする。
【００２４】
図８，図９に示すように、上記第一嵌め継部７の蛇腹リブ２０は曲がり部配線ダクト１の蛇腹リブ２と等ピッチにするか倍数ピッチにして軸線方向へ複数並設し、複数の蛇腹リブ２０を複数の蛇腹リブ２間の蛇腹溝３内に係入し、且つ複数の蛇腹リブ２を複数の蛇腹リブ２０間の蛇腹溝２１に係入せしめ上記蛇腹係合を図る。
【００２５】
又図１０，図１１Ｂ等に示すように、上記第二嵌め継部８は頂板１１の両側縁から左右側板１２を立ち下げ下向きに開放１３された断面視コ形にし、該コ形の第二嵌め継部８を該開放部１３を通じ上記壁面配線ダクト５の端部に外嵌めして上記頂板１１と左右側板１２を上記壁面配線ダクト５の頂板１７と左右側板１８に添接し、該第二嵌め継部８の左右側板１１の下端に設けた係止爪１９を上記壁面配線ダクト５の左右側板１８に係合して嵌合を適切に保持する。
【００２６】
図１１Ｂに示すように、曲がり配線部の両側、即ち曲がり部配線ダクト１の両端に付設された壁面配線ダクト５は上面において開放せるコ字形のコア２４の側板の上端部に、下面において開放せるカバー２５の下端部を嵌合する構造であり、即ちコア２４にカバー２５を嵌合し筒状の壁面配線ダクト５を形成しており、上記接続具６の第二嵌め継部８をその開放部１３を以って壁面配線ダクト５の端部に上方から弾力的に外嵌めし、第二嵌め継部８の左右側板１２の下端（開放端）に設けた内向き係合爪１９を上記壁面配線ダクト５の左右側板１８、即ちコア２４の左右側板１８下端に設けた入隅部２６、換言すると左右側板１８と底板の連設部に形成された入隅部２６に係合し、接続具６の壁面配線ダクト５に対する嵌合を保持する。
【００２７】
上記第二嵌め継部８はコ字形にして外嵌めする構造にする他、これを筒形にし、該筒形第二嵌め継部８を壁面配線ダクト５の端部開口から内部へ挿入する、即ち内嵌めする構造とすることができる。
【００２８】
上記第二嵌め継部８は第一嵌め継部７より小口径にし、開放部１３を互いに連通せしめ、第一、第二嵌め継部７，８の連設部に第一嵌め継部７から第二嵌め継部８へ下り傾斜となる斜壁２７を形成し、該斜壁２７の内空部に前記短小フランジ４を収容する。
【００２９】
上記曲がり部配線ダクト１の一端と他端に使用する接続具６は夫々別部品で構成する。又は上記曲がり部配線ダクト１の一端に使用する接続具６を別部品で構成し、他端には該接続具６に相当する嵌め継部を一体成形し、該他端側の壁面配線ダクト５の端部に外嵌め又は内嵌めする。他方接続具６に相当する嵌め継部を連設した側とは反対側の端部を切断して短縮化し、接続具６を使用して壁面配線ダクト５との接続を行うことができる。
【図面の簡単な説明】
【００３０】
【図１】曲がり部配線ダクトと接続具の嵌合構造を示す斜視図。
【図２】同分解構造を示す側面図。
【図３】同分解構造を示す平面図。
【図４】同分解構造を示す底面図。
【図５】Ａは接続具の正面図、Ｂは曲がり部配線ダクトの正面図。
【図６】曲がり部配線ダクトと接続具の嵌合構造を示す側面図。
【図７】同平面図。
【図８】Ａは同底面図、Ｂは図８ＡにおけるＢ−Ｂ線拡大図。
【図９】Ａは図７におけるＡ−Ａ線断面図、Ｂは図９ＡにおけるＣ−Ｃ線拡大図。
【図１０】曲がり配線部における配線ダクト間接続構造の使用状態を示す断面図。
【図１１】Ａは図１０におけるＤ−Ｄ線断面図、Ｂは同Ｅ−Ｅ線断面図。
【符号の説明】
【００３１】
１…曲がり部配線ダクト、２…蛇腹リブ、３…蛇腹溝、４…短小フランジ、５…壁面配線ダクト、６…接続具、７…第一嵌め継部、８…第二嵌め継部、９…第一嵌め継部の頂板、１０…第一嵌め継部の左右側板、１１…第二嵌め継部の頂板、１２…第二嵌め継部の左右側板、１３…開放部、１４…蛇腹部頂板、１５…蛇腹部左右側板、１６…係止リブ、１７…壁面配線ダクトの頂板、１８…壁面配線ダクトの左右側板、１９…係止爪、２０…蛇腹リブ、２１…蛇腹溝、２２…壁面、２３…曲がり部、２４…壁面配線ダクトのコア、２５…壁面配線ダクトのカバー、２６…壁面配線ダクトの入隅部、２７…斜壁
【図１】
2005039928.tif 000003
【図２】
2005039928.tif 000004
【図３】
2005039928.tif 000005
【図４】
2005039928.tif 000006
【図５】
2005039928.tif 000007
【図６】
2005039928.tif 000008
【図７】
2005039928.tif 000009
【図８】
2005039928.tif 000010
【図９】
2005039928.tif 000011
【図１０】
2005039928.tif 000012
【図１１】
2005039928.tif 000013